(57)【要約】【課題】  環状鎖、フック、ガイドレールに付着した油脂分を含む洗浄水の水滴で対象物が汚されず、綺麗に洗浄し乾燥する洗浄乾燥装置を提供する。【解決手段】  洗浄乾燥室に水平状態で駆動回転する環状鎖３をそのガイドレール９と共に設け、その環状鎖３に間隔をおいてフック１０を設け、該フック１０に対象物Ｂを吊下げ、その環状鎖３を所定速度で駆動回転させつつ洗浄水吹き出し部からの洗浄水による対象物Ｂの洗浄と、洗浄後の乾燥風吹き出し部からの対象物の乾燥とを行なう洗浄乾燥装置において、前記環状鎖３からフック１０を立上げ、該フック１０に洗浄乾燥の対象物Ｂを抜取り可能に吊下げて、環状鎖３、フック１０、ガイドレール９に付着した油脂分を含む洗浄水の水滴の滴下経路から洗浄、乾燥の対象物Ｂを逃がす。【選択図】図３
0003103986.tif 000002
【実用新案登録請求の範囲】
【請求項１】
洗浄乾燥室に対象物の出し入れ口を開口し、該洗浄乾燥室に水平状態で駆動回転する環状鎖をそのガイドレールと共に設け、その環状鎖に間隔をおいてフックを設け、該フックに対象物を吊下げ、その環状鎖を所定速度で駆動回転させつつ洗浄水吹き出し部からの洗浄水による対象物の洗浄と、洗浄後の乾燥風吹き出し部からの対象物の乾燥とを行なう洗浄乾燥装置において、前記環状鎖からフックを立上げ、該フックに洗浄乾燥の対象物を抜取り可能に吊下げていることを特徴とする洗浄乾燥装置。
【考案の詳細な説明】
【技術分野】
【０００１】
本考案は、切削油等の油類を使用して加工された対象物（製品）を洗浄乾燥する洗浄乾燥装置に関するものである。
【背景技術】
【０００２】
従来、洗浄乾燥装置は、図５に示すように、内部中空とする長方形状の洗浄乾燥室１の一短手面に対象物（製品）Ｂの開閉可能な出し入れ口１１を開口し、駆動源に連結して水平状に回転する環状鎖３をそのガイドレール９と共に水平状に配設し、前記出し入れ口１１寄りの洗浄乾燥室１の長手面に洗浄水吹き出し部（図示せず）、出し入れ口１１が対向する他短手面に乾燥風吹き出し部を各々設けて、前記環状鎖３に設けた取付座１３に一定ピッチで吊下げられているフック１０に対象物Ｂを前記出し入れ口１１から吊り下げ、その環状鎖３を微速で水平に回転させながら洗浄水噴出し部（図示せず）から洗浄水を吹き出して付着する油脂分を洗浄除去しつつ、綺麗になったその対象物Ｂに乾燥風を吹き出して、同出し入れ口１１から取り出すようになっている。
【０００３】
しかしながら、従来技術にあっては、図５の拡大図に示すように、前記フック１０が環状鎖３から吊下げられているため、環状鎖３、フック１０、ガイドレール９に付着した油脂分を含む洗浄水の水滴が滴下して、折角綺麗に洗浄した対象物Ｂを汚してしまう問題があった。
尚、前記する洗浄乾燥装置に関する先行技術文献の存在は、出願人としては不知である。
【考案の開示】
【考案が解決しようとする課題】
【０００４】
本考案は上記従来事情に鑑みてなされたもので、その目的とする処は、環状鎖やそのレールに付着した油脂分を含む洗浄水の水滴で対象物が汚されず、綺麗に洗浄し乾燥する洗浄乾燥装置を提供することにある。
【課題を解決するための手段】
【０００５】
前記課題を解決するために講じた技術的手段は、洗浄乾燥室に対象物の出し入れ口を開口し、該洗浄乾燥室に水平状態で駆動回転する環状鎖をそのガイドレールと共に設け、その環状鎖に間隔をおいてフックを設け、該フックに対象物を吊下げ、その環状鎖を所定速度で駆動回転させつつ洗浄水吹き出し部からの洗浄水による対象物の洗浄と、洗浄後の乾燥風吹き出し部からの対象物の乾燥とを行なう洗浄乾燥装置において、前記環状鎖からフックを立上げ、該フックに洗浄乾燥の対象物を抜取り可能に吊下げていることを特徴とする洗浄乾燥装置である（請求項１）。
【０００６】
以上の手段よれば、環状鎖、フック、ガイドレールに付着した油脂分を含む洗浄水の水滴の滴下経路から洗浄、乾燥の対象物を逃がす。
【考案の効果】
【０００７】
本考案は以上のように構成したから下記の利点がある。
（請求項１）環状鎖からフックを立上げ、該フックに洗浄乾燥の対象物を抜取り可能に吊下げているので、洗浄で環状鎖、フック、ガイドレール等に付着した油脂分を含む水滴によって対象物が汚れず、綺麗に仕上げて製品出し入り口から取り出せる。
【考案を実施するための最良の形態】
【０００８】
次に、本考案洗浄乾燥装置の実施の形態を図１〜図４に基づいて説明する。
【実施例１】
【０００９】
図１、図２において、符号Ａはその吊下げ式洗浄乾燥装置である。
この吊下げ式洗浄乾燥装置Ａは、上半部を洗浄乾燥室１、下半部を排水装置等の装置類の収容室２とする直方体形状を呈しており、キャスターで自由な位置、箇所に移動可能になっている。
【００１０】
前記洗浄乾燥室１は、一短手面を洗浄乾燥となる対象物の開閉可能な出し入れ口１１としている。
そして、この洗浄乾燥室１には、水平状態で駆動回転する環状鎖３がそのガイドレール９と共に設けられている。
【００１１】
前記環状鎖３は、図２に示すように、平面視トラック状の輪郭をもって配設されたガイドレール９で支承されて案内されるように前記洗浄乾燥室１の床部２１寄りに配鎖され、駆動モータ４に連結する駆動スプロケット５と、従動スプロケット６とに亘って掛け渡されて、駆動モータ４、駆動軸１４を介して駆動力で微速で駆動回転するようになっており、符号７は従動スプロケットの回転軸である。
符号８は、対象物出し入れ時の安全カバーで、少なくとも出し入れ口１１側に図２に示すように平面視半円形状をもって前記環状鎖３、ガイドレール９を隠すように設けられている。
【００１２】
前記環状鎖３には、等間隔をおいてフック１０を立ち上げ、該フック１０に洗浄乾燥の対象物Ｂを抜き取り可能に吊り下げられている。
【００１３】
また、前記洗浄乾燥室１には、洗浄水吹き出し部１００、乾燥風吹き出し部２００が各々設けられている。
【００１４】
前記フック１０は、図３に示すように、前記環状鎖３に所要駒片に幅方向に取付座１３を延設し、該取付座１３から図示するように略逆向きに立ち上げてあり、その上向きに傾斜する先端の引っ掛け杆１０ａに対象物Ｂが抜き取り可能に引っ掛けられるようになっている。
【００１５】
洗浄水吹き出し部１００は、図２に示すように、一長手面に沿って吹き出しノズル群を配設し、給湯装置（図示せず）に連絡されており、同図に示すように洗浄乾燥室１に区画形成した飛散防止室１０１内に配設して、その飛散防止室１０１を通過する対象物Ｂに洗浄水を吹き付けるようになっている。
【００１６】
一方、乾燥風吹き出し部２００は、同図２に示すように、出し入れ口１１と対向する他短手側に等間隔をおいてダクトを複数個並設し、温風発生装置２０１に連絡されている。
【００１７】
従って、出し入れ口１１から、対象物Ｂをフック１０の引っ掛け杆１０ａに引っ掛け、駆動モータ４を作動させて、微速で環状鎖３を回転されつつ、洗浄吹き出し部（ノズル群）１００から洗浄水をその対象物に吹き付けて、綺麗に洗浄した後、乾燥風吹き出し部２００から乾燥風を吹き付けて、乾燥し、前記出し入れ口１１から取り出せるようになっている。
【００１８】
そして、洗浄圧を受けて勢い良く吹き出す洗浄水が環状鎖３、フック１０、ガイドレール９、カバー８等に付着して水滴として滴下しても、対象物Ｂがその水滴が汚されることはない。
【図面の簡単な説明】
【００１９】
【図１】本実施の形態洗浄乾燥装置の正面図で一部切欠して示す。
【図２】図１の横断平面図。
【図３】図２の（３）−（３）線拡大断面図。
【図４】図２の（４）−（４）線拡大断面図。
【図５】従来の洗浄乾燥装置の正面断面図で一部切欠して示す。
【符号の説明】
【００２０】
１：洗浄乾燥室                    Ｂ：対象物
３：環状鎖                      １０：フック
１００：洗浄水吹き出し部          ２００：乾燥風吹き出し部
【図１】
0003103986.tif 000003
【図２】
0003103986.tif 000004
【図３】
0003103986.tif 000005
【図４】
0003103986.tif 000006
【図５】
0003103986.tif 000007